【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
ソール構造に接続されるように構成され、および足を受け入れるように構成されている履物製品用アッパーであって、
一体ニット構造を有するニット構成要素であって、
前記ソール構造に隣接して配置されるように構成されたベース部と、
前記ベース部の両端部から延びているかかと部および足先部と、
前記ベース部の両側部から延びている内側部および外側部であって、前記内側部と前記外側部との間にスロート区域を画成するように協働する、内側部および外側部と、
前記スロート区域内に配置されるように構成されている舌革部であって、前記内側部および前記外側部の少なくとも一方からは分離されている舌革部と、
を備えるニット構成要素と、
前記ニット構成要素の第１の縁部と、
縫い目で前記第１の縁部に結合されて、前記ベース部、前記かかと部、前記足先部、前記内側部および前記外側部に、前記足を受け入れるように構成される空洞を協働して画成させるように構成された前記ニット構成要素の第２の縁部と、
を備えるアッパー。
【請求項２】
前記かかと部および前記ベース部は、３次元曲率を有するかかとキャビティの面を画成するように協働する、請求項１に記載のアッパー。
【請求項３】
前記足先部および前記ベース部は、３次元曲率を有する足先キャビティの面を画成するように協働する、請求項１または２に記載のアッパー。
【請求項４】
前記舌革部が前記ベース部から延びる、請求項１〜３のいずれか一項に記載のアッパー。
【請求項５】
前記足先部と、前記内側部および前記外側部の一方との間にギャップが画成され、前記舌革部が、前記ベース部から延び、および前記ギャップ内に配置されている、請求項４に記載のアッパー。
【請求項６】
前記ニット構成要素は、第１のテーパー状境界を有する第１のテーパー状区域と、第２のテーパー状境界を有する第２のテーパー状区域とを含み、前記第１のテーパー状境界は、前記ニット構成要素に３次元的輪郭面を形成するように、前記第２のテーパー状境界に接合されている、請求項１〜５のいずれか一項に記載のアッパー。
【請求項７】
前記舌革部は、曲率を有する湾曲領域を形成するように、共通区域から放射状に広がる複数のニットコースを有する前記湾曲領域を含む、請求項１〜６のいずれか一項に記載のアッパー。
【請求項８】
前記一体ニット構造に組み込まれる伸張性ストランドをさらに備え、前記伸張性ストランドは、前記ベース部、前記内側部および前記外側部のうちの少なくとも１つにわたって延びている、請求項１〜７のいずれか一項に記載のアッパー。
【請求項９】
前記伸張性ストランドは、前記ベース部と、前記内側部および前記外側部の一方との間に連続的に延びている、請求項８に記載のアッパー。
【請求項１０】
前記伸張性ストランドは、前記内側部から前記ベース部を通って前記外側部まで連続的に延びている、請求項９に記載のアッパー。
【請求項１１】
前記伸張性ストランドは、前記内側部と前記外側部との間に互い違いに延び、前記伸張性ストランドは、前記ストランドが、前記内側部と前記外側部との間で互い違いになるように、前記ベース部を通って延びている、請求項１０に記載のアッパー。
【請求項１２】
前記伸張性ストランドは、前記足に対して前記アッパーを選択的に固定するクロージャー要素を受け入れて支持するように構成されたターンを含む、請求項８〜１１のいずれか一項に記載のアッパー。
【請求項１３】
前記内側部および前記外側部の一方は開口部を含み、前記ターンは、少なくとも部分的に前記開口部の周りに延び、前記開口部および前記ターンは、前記クロージャー要素を協働して受け入れて支持するように構成されている、請求項１２に記載のアッパー。
【請求項１４】
前記ターンは、前記内側部および前記外側部のうちの一方から露出されている、請求項１３に記載のアッパー。
【請求項１５】
前記ターンは、前記内側部および前記外側部のうちの一方の外側面と内側面との間に取り囲まれている、請求項１３に記載のアッパー。
【請求項１６】
前記ベース部は前記ニット構成要素の内側面と、前記ニット構成要素の外側面とを画成し、前記内側面と前記外側面との間に経路が画成され、前記伸張性ストランドは、前記経路を通って延びている、請求項８に記載のアッパー。
【請求項１７】
前記伸張性ストランドの第１の長手方向部分は前記経路内に配置され、前記伸張性ストランドの第２の長手方向部分は前記経路から露出されている、請求項１６に記載のアッパー。
【請求項１８】
前記第１の縁部および前記第２の縁部は、前記縫い目によって接合されている、請求項１〜１７のいずれか一項に記載のアッパー。
【請求項１９】
前記第１の縁部および前記第２の縁部は、前記縫い目で当接する、請求項１８に記載のアッパー。
【請求項２０】
前記縫い目は、前記一体ニット構造の縫製とは独立した縫製を含む、請求項１９に記載のアッパー。
【請求項２１】
前記縫い目は、前記ベース部から、前記内側部、前記外側部および前記足先部のうちの少なくとも１つまで連続的に延びている、請求項２０に記載のアッパー。
【請求項２２】
前記縫い目は、前記かかと部がシームレスになるように、前記かかと部から離間されている、請求項２１に記載のアッパー。
【請求項２３】
前記縫い目は、前記アッパーの唯一の縫い目である、請求項１９に記載のアッパー。
【請求項２４】
ソール構造に接続されるように構成されている履物製品用ニット構成要素を製造する方法であって、
前記ソール構造に隣接して配置されるように構成されたベース部と、
前記ベース部の両端部から延びているかかと部および足先部と、
前記ベース部の両側部から延びている内側部および外側部であって、前記内側部と前記外側部との間にスロート区域を画成するように協働する、内側部および外側部と、
前記スロート区域内に配置されるように構成されている舌革部であって、前記内側部および前記外側部の少なくとも一方からは分離されている舌革部と、
を有するように前記ニット構成要素を編むことと、
前記ニット構成要素の第１の縁部と、前記ニット構成要素の第２の縁部とを縫い目で結合して、前記ベース部、前記かかと部、前記足先部、前記内側部および前記外側部に、前記足を受け入れるように構成される空洞を協働して画成させることと、
を含む方法。
【請求項２５】
前記ニット構成要素を編むことは、３次元曲率を有するキャビティの面を形成することを含む、請求項２４に記載の方法。
【請求項２６】
前記第１の縁部と前記第２の縁部とを一緒に結合することは、前記第１の縁部と前記第２の縁部とを縫製によって縫い合わせることを含む、請求項２４または２５に記載の方法。
【請求項２７】
前記ベース部、前記内側部および前記外側部のうちの少なくとも１つにわたって伸張性ストランドを延ばすことをさらに含む、請求項２４〜２６のいずれか一項に記載の方法。
【請求項２８】
前記伸張性ストランドを延ばすことは、前記伸張性ストランドを前記内側部から前記ベース部を通って前記外側部まで連続的に延ばすことを含む、請求項２７に記載の方法。
【請求項２９】
前記伸張性ストランドを延ばすことは、前記内側部と前記外側部との間で前記伸張性ストランドを互い違いに延ばすことを含む、請求項２８に記載の方法。
【請求項３０】
前記ベース部は、前記ニット構成要素の内側面と、前記ニット構成要素の外側面とを画成し、前記内側面と前記外側面との間に経路が画成され、前記伸張性ストランドを延ばすことは、前記伸張性ストランドを前記経路を通して延ばすことを含む、請求項２７に記載の方法。
【請求項３１】
前記ニット構成要素を編むことは、第１のテーパー状境界を有する第１のテーパー状区域と、第２のテーパー状境界を有する第２のテーパー状区域とを含み、前記第１のテーパー状境界は、前記ニット構成要素に３次元的輪郭面を形成するように、前記第２のテーパー状境界に接合されている、請求項２４〜３０のいずれか一項に記載の方法。
【請求項３２】
前記ニット構成要素を編むことは、湾曲領域に曲率を与えるように、共通区域から放射状に広がる複数のニットコースを有する前記湾曲領域を含むように、前記舌革部を編むことを含む、請求項２４〜３１のいずれか一項に記載の方法。
【請求項３３】
ソール構造に接続されるように構成され、および足を受け入れるように構成されている履物製品用アッパーであって、
前記ソール構造に隣接して配置されるように構成されているベース部を有するニット構成要素であって、前記ベース部が、前記ニット構成要素の内側面および外側面を画成し、前記ベース部が、前記内側面と前記外側面との間にベース部経路を画成するニット構成要素と、
前記ベース部経路を通って延びている伸張性ストランドと、
を備えるアッパー。
【請求項３４】
前記ニット構成要素は、前記ニット構成要素の前記内側面および前記外側面も画成する側部を含み、前記側部は、前記内側面と前記外側面との間に側部経路を画成し、前記伸張性ストランドは、前記ベース部経路と前記側部経路との間に連続的に延び、および前記ベース部経路および前記側部経路の両方に受け入れられている、請求項３３に記載のアッパー。
【請求項３５】
前記ベース部経路および前記側部経路は、前記伸張性ストランドが前記ベース部経路と前記側部経路との間に連続的に延びる際に、前記伸張性ストランドが前記ベース部経路および前記側部経路の内部に埋め込まれるように互いに連通している、請求項３４に記載のアッパー。
【請求項３６】
前記側部は、前記ベース部の両側部から延びている内側部および外側部を含み、前記伸張性ストランドは、前記内側部から前記ベース部を通って前記外側部まで連続的に延びている、請求項３４に記載のアッパー。
【請求項３７】
前記伸張性ストランドは、前記内側部と前記外側部との間に互い違いに延びている、請求項３６に記載のアッパー。
【請求項３８】
前記伸張性ストランドは、前記アッパーを前記足に選択的に固定するクロージャー要素を受け入れて支持するように構成されたターンを含む、請求項３４〜３７のいずれか一項に記載のアッパー。
【請求項３９】
前記側部は開口部を含み、前記ターンは、前記開口部の周りに少なくとも部分的に延び、前記開口部および前記ターンは、前記クロージャー要素を協働して受け入れて支持するように構成されている、請求項３８に記載のアッパー。
【請求項４０】
前記側部は、前記ベース部を備えた一体ニット構造で形成されている、請求項３４〜３９のいずれか一項に記載のアッパー。
【請求項４１】
前記伸張性ストランドは、前記ベース部経路内に滑動可能に収容されている、請求項３３〜４０のいずれか一項に記載のアッパー。
【請求項４２】
前記伸張性ストランドは、前記ベース部に固着されている、請求項３３〜４０のいずれか一項に記載のアッパー。
【請求項４３】
前記伸張性ストランドは、前記ベース部に融着されるように構成されている融着性ストランドである、請求項４２に記載のアッパー。
【請求項４４】
前記ベース部は、前記足のアーチの下に延びるように構成されたアーチ支持領域を含み、前記伸張性ストランドは、前記アーチ支持領域の全域に延びている、請求項３３〜４３のいずれか一項に記載のアッパー。
【請求項４５】
ソール構造に接続されるように構成され、および足の上に装着されるように構成されているアッパーを製造する方法であって、
前記ソール構造に隣接して配置されるように構成されているベース部を有するニット構成要素を編むことであって、前記ベース部が、前記ニット構成要素の内側面および外側面を画成し、前記ベース部が、前記内側面と前記外側面との間にベース部経路を画成することと、
前記ベース部経路を通して伸張性ストランドを延ばすことと、
を含む方法。
【請求項４６】
前記ニット構成要素を編むことは、前記ニット構成要素の前記内側面および前記外側面も画成する側部を編むことを含み、前記側部は、前記内側面と前記外側面との間に側部経路を画成し、前記伸張性ストランドを延ばすことは、前記ストランドを、前記ベース部経路および前記側部経路の両方を通して連続的に延ばすことを含む、請求項４５に記載の方法。
【請求項４７】
前記ベース部経路と前記側部経路とは互いに連通し、前記伸張性ストランドを延ばすことは、前記伸張性ストランドが前記ベース部経路と前記側部経路との両方を通って連続的に延びる際に、前記伸張性ストランドを前記ベース部経路および前記側部経路の内部に埋め込むことを含む、請求項４６に記載の方法。
【請求項４８】
前記側部は、前記ベース部の両側部から延びている内側部および外側部を含み、前記伸張性ストランドを延ばすことは、前記伸張性ストランドを前記内側部から前記ベース部を通って前記外側部まで連続的に延ばすことを含む、請求項４６に記載の方法。
【請求項４９】
前記伸張性ストランドを延ばすことは、前記伸張性ストランドを前記内側部と前記外側部との間で互い違いに延ばすことを含む、請求項４８に記載の方法。
【請求項５０】
前記伸張性ストランドにターンを形成することをさらに含み、前記ターンは、前記アッパーを前記足に選択的に固定するクロージャー要素を受け入れて支持するように構成されている、請求項４９に記載の方法。
【請求項５１】
前記側部は開口部を含み、前記ターンを形成することは、前記伸張性ストランドを前記開口部の周りに少なくとも部分的に延ばすことを含み、前記開口部および前記ターンは、前記クロージャー要素を協働して受け入れて支持するように構成されている、請求項５０に記載の方法。
【請求項５２】
前記ニット構成要素を編むことは、前記ベース部を備えた一体ニット構造を有するように、前記側部を設けることを含む、請求項４５〜５１のいずれか一項に記載の方法。
【請求項５３】
前記伸張性ストランドを前記ベース部経路を通して長手方向に滑動させることをさらに含む、請求項４５〜５２のいずれか一項に記載の方法。
【請求項５４】
前記伸張性ストランドを前記ベース部に固着することをさらに含む、請求項４５〜５２のいずれか一項に記載の方法。
【請求項５５】
ソール構造と、
アッパーであって、
一体ニット構造を有し、前記ソール構造に隣接して配置されるように構成されているベース部を有するニット構成要素であって、前記ベース部が、前記ニット構成要素の内側面および外側面を画成し、前記ベース部が、前記内側面と前記外側面との間にベース部経路を画成するニット構成要素と、
前記ベース部経路を通って延びる伸張性ストランドと、
を備えるアッパーと、
を備える履物製品。
【請求項５６】
前記ニット構成要素は、前記ベース部から延びている側部も含み、前記側部は、前記内側面および前記外側面のうちの少なくとも一方も画成し、前記内側面および前記外側面のうちの少なくとも一方は、前記ニット構成要素内に空洞を画成するために３次元的輪郭を有する、請求項５５に記載の履物製品。
【請求項５７】
前記側部は、前記内側面と前記外側面との間に側部経路を画成し、前記伸張性ストランドは、前記ベース部経路と前記側部経路との間に連続的に延びて、前記ベース部経路および前記側部経路の両方に収容されている、請求項５６に記載の履物製品。
【請求項５８】
前記側部は、内側部および外側部を含み、前記伸張性ストランドは、前記ベース部と、前記内側部と、前記外側部との間に連続的に延びている、請求項５７に記載の履物製品。
【請求項５９】
前記ニット構成要素は、第１の縁部、および、縫い目で前記第１の縁部に結合されるように構成された第２の縁部も含み、前記ベース部および前記側部に、足を受け入れるように構成される空洞を協働して画成させる、請求項５６に記載の履物製品。
【請求項６０】
前記側部は、前記ベース部の対向端部から延びているかかと部および足先部と、前記ベース部の両側部から延びている内側部および外側部と、前記内側部と前記外側部との間に画成されたスロート内に設けられるように構成された舌革部とを含む、請求項５９に記載の履物製品。
【手続補正２】
【補正対象書類名】明細書
【補正対象項目名】００６２
【補正方法】変更
【補正の内容】
【００６２】
さらに、図６に示すように、アッパー１２０は、ベース部１２４および／または側部１２６に結合されている少なくとも１つの伸張性ストランド１５８を含むことができる。ストランド１５８は、ベース部１２４および／または側部１２６のどの部分にも結合することができる。くわえて、ストランド１５８は、何らかの適当な方法で、ベース部１２４および／または側部１２６に結合することができる。たとえば、ストランド１５８は、説明されるように、ベース部１２４および側部１２６の一体ニット構造のコースおよび／またはウェール内に挿入することができる。したがって、ストランド１５８は、上述し、および図１３および図１４に図示されているストランド１１３２に一致することが可能である。また、ストランド１５８は、ベース部１２４および／または側部１２６の内側面１２１または外側面１２３に接着し、固定し、貫通させ、または他の方法で結合することもできる。
【手続補正３】
【補正対象書類名】明細書
【補正対象項目名】００７５
【補正方法】変更
【補正の内容】
【００７５】
図１０および図１１に示す実施形態においては、ストランド１５８が、着用者の足の底部のさまざまな区域に対する支持をもたらすことができることは正しく認識されるであろう。たとえば、ストランド１５８は、着用者の足のアーチの底面に配置されるように構成されているアーチ領域１６７上に配置することができる。したがって、アーチ領域１６７内のストランド１５８は、特に、ストランド１５８が靴ひも１５５によって張力を加えられている場合、着用者のアーチを支持することができる。る。
【手続補正４】
【補正対象書類名】明細書
【補正対象項目名】００８６
【補正方法】変更
【補正の内容】
【００８６】
アッパー２２０は、上述した実施形態と同様に、内側部２３２、ベース部２２４および外側部２３０にわたって互い違いに延びているストランド２５８を含むことができる。また、ストランド２５８は、１つ以上の経路２６２を通って延びることもできる。しかし、経路２６２は、内側部２３２および外側部２３０上に画成することができ、また、経路２６２は、ベース部２２４から離間させることができる。
【手続補正５】
【補正対象書類名】図面
【補正対象項目名】図１０
【補正方法】変更
【補正の内容】
【図１０】
2016516458.tif 000001
【手続補正６】
【補正対象書類名】図面
【補正対象項目名】図１１
【補正方法】変更
【補正の内容】
【図１１】
2016516458.tif 000002